(57)【要約】  物品を、少量の式（Ｉ）2018510039.tif 000041のハロ活性芳香族スルホンアミド化合物（式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、Ｒ’は、水素、アルカリ金属、アルカリ土類金属、置換Ｃ１〜Ｃ１２アルキル、または非置換Ｃ１〜Ｃ１２アルキルであり、Ｒ”は、水素または置換もしくは非置換Ｃ１〜Ｃ１２アルキルであり、ＣＯＮ（Ｒ”）２の２つのＲ”基は、独立して選択されてもよく、Ｘはハロゲンであり、Ｍは、アルカリ金属またはアルカリ土類金属であり、ｎはスルホンアミド化合物の１分子当たりの水分子の数である）で処理する。化合物は、使用前、使用中および使用後、長期間にわたり臭気を有効に抑制する。
2018510039.tif 000002
【特許請求の範囲】
【請求項１】
式（Ｉ）のハロ活性芳香族スルホンアミド化合物：
【化８】
2018510039.tif 000036
［式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は独立して選択されてもよく、
Ｘはハロゲンであり、
Ｍは、アルカリ金属またはアルカリ土類金属であり、
ｎは前記スルホンアミド化合物の１分子当たりの水分子の数である］
をその上に有する吸収性基材を含む臭気抑制物品であって、
前記ハロ活性芳香族スルホンアミド化合物が、前記吸収性基材の吸収許容量１ミリリットル当たり約０．０００２〜約６ミリグラムの量（ｍｇ／ｍＬ）で存在する、臭気抑制物品。
【請求項２】
前記ハロ活性芳香族スルホンアミド化合物が、前記吸収性基材の吸収許容量に対し約０．０００２〜約１ｍｇ／ｍＬの量で存在する、請求項１に記載の物品。
【請求項３】
前記ハロ活性芳香族スルホンアミド化合物が、前記吸収性基材の吸収許容量に対し約０．１〜約１ｍｇ／ｍＬの量で存在する、請求項１に記載の物品。
【請求項４】
Ｒ３が、置換もしくは非置換Ｃ１〜Ｃ１２アルキル、またはＣＯＯＲ’［式中、Ｒ’は、アルカリ金属、アルカリ土類金属、置換Ｃ１〜Ｃ１２アルキル、または非置換Ｃ１〜Ｃ１２アルキルである］である、請求項１に記載の物品。
【請求項５】
前記ハロ活性芳香族スルホンアミド化合物が、クロラミン−ＴまたはＮ−クロロ−４−カルボキシベンゼンスルホンアミドである、請求項１に記載の物品。
【請求項６】
前記吸収性基材がその上に緩衝剤も含む、請求項１に記載の物品。
【請求項７】
前記緩衝剤が炭酸水素ナトリウムである、請求項６に記載の物品。
【請求項８】
前記ハロ活性芳香族スルホンアミド化合物と前記緩衝剤の重量比が、約５０：１〜約１：１である、請求項６に記載の物品。
【請求項９】
前記緩衝剤が、前記吸収性基材が湿っているときにｐＨ７．０〜９．０を得るのに十分な量で存在する、請求項６に記載の物品。
【請求項１０】
前記物品が、アルコール、界面活性剤または香料をさらに含む、請求項１に記載の物品。
【請求項１１】
前記吸収性基材が、ポリマー、不織材料、セルロース系繊維またはウッドフラッフから作製される、請求項１に記載の物品。
【請求項１２】
前記ハロ活性芳香族スルホンアミド（sulfanomide）化合物は、固体であるか、または水溶性媒体に封入されている、請求項１に記載の物品。
【請求項１３】
おむつ、成人失禁用物品、女性用パッド、ペット用パッド、食品用パッド、または他の吸収パッドである、請求項１に記載の物品。
【請求項１４】
合計で約１０ｍｇ〜約１０００ｍｇの前記ハロ活性スルホンアミド化合物を含有する、請求項１に記載の物品。
【請求項１５】
前記ハロ活性芳香族スルホンアミド化合物が固体であり、前記吸収性基材が超吸収性ポリマーである、請求項１に記載の物品。
【請求項１６】
式（Ｉ）のハロ活性芳香族スルホンアミド化合物：
【化９】
2018510039.tif 000037
［式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は独立して選択されてもよく、
Ｘはハロゲンであり、
Ｍは、アルカリ金属またはアルカリ土類金属であり、
ｎは前記スルホンアミド化合物の１分子当たりの水分子の数である］
をその上に有する不織材料を含むワイプであって、
前記ハロ活性芳香族スルホンアミド化合物が、前記不織材料１グラム当たり約０．００１〜約１．０グラムの量で存在する、ワイプ。
【請求項１７】
少なくとも１６８時間の期間にわたって臭気を減少させる方法であって、
式（Ｉ）のハロ活性芳香族スルホンアミド化合物：
【化１０】
2018510039.tif 000038
［式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は独立して選択されていてもよく、
Ｘはハロゲンであり、
Ｍは、アルカリ金属またはアルカリ土類金属であり、
ｎは前記スルホンアミド化合物の１分子当たりの水分子の数である］
をその上に有する吸収性部材を含む物品中に、臭気のある液体を受けることを含み、
前記ハロ活性芳香族スルホンアミド化合物が、前記吸収性部材の吸収許容量の１ミリリットル当たり約０．０００２〜約６ミリグラム（ｍｇ／ｍＬ）の量で存在する、方法。
【請求項１８】
１週間後に、前記液体の臭気が、元の臭気の最大でも４０％である、請求項１７に記載の方法。
【請求項１９】
物品の臭気を減少させる方法であって、
式（Ｉ）のハロ活性芳香族スルホンアミド化合物：
【化１１】
2018510039.tif 000039
［式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は独立して選択されてもよく、
Ｘはハロゲンであり、
Ｍは、アルカリ金属またはアルカリ土類金属であり、
ｎは前記スルホンアミド化合物の１分子当たりの水分子の数である］
を含有する溶液で前記臭気を処理することを含み、
前記ハロ活性芳香族スルホンアミド化合物が、前記溶液中に約０．１％〜２３％（ｗ／ｖ）の量で存在する、方法。
【請求項２０】
前記物品が、表面シート、捕捉分配層、ティッシュ、コア、超吸収性ポリマー、裏面シート、伸縮性積層体、弾性材料、封止タブ、接着剤もしくはポリバッグ、または吸収性物品を作製するために使用される別の材料である、請求項１９に記載の方法。
【請求項２１】
式（Ｉ）のハロ活性芳香族スルホンアミド化合物：
【化１２】
2018510039.tif 000040
［式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は独立して選択されてもよく、
Ｘはハロゲンであり、
Ｍは、アルカリ金属またはアルカリ土類金属であり、
ｎは前記スルホンアミド化合物の１分子当たりの水分子の数である］
をその上に有する基材を含むフィルターまたは他の媒体であって、
前記ハロ活性芳香族スルホンアミド化合物が、前記基材１グラム当たり約０．００１〜約１．０グラムの量で存在する、フィルターまたは他の媒体。
【発明の詳細な説明】
【技術分野】
【０００１】
関連出願の引用
本願は、米国仮特許出願第６２／１１３，７６８号（２０１５年２月９日出願）に対する優先権を主張する。この米国仮特許出願の開示は、本明細書中に参考として完全に援用される。
【背景技術】
【０００２】
背景
本発明の開示は、臭気抑制特徴を有する化合物に関する。
【０００３】
パッドなどの吸収性部材は、例えば、生理用品、おむつ（乳幼児と失禁の悩みを有する個人との両方）、サニタリーナプキン、タンポン、外傷用包帯および絆創膏などの物品において、身体の流体または体液を吸収するのに広く役立つことが見出されている。このような吸収性部材には、超吸収性ポリマー（それらの自重の何倍もの流体を吸収する）または他の繊維性材料、例えば、コットン、木材パルプおよび紙などを組み込むことができる。このような吸収性部材により吸収される体液として、嘔吐、血液、膿、汗、精液、分泌物、月経排出物、尿および糞便物を挙げることができる。
【０００４】
体液は、酸素、硫黄または窒素を含有する脂肪族、芳香族または複素環式化合物であり得る臭気原因分子による不快な臭気（悪臭）を有し得る。臭気原因分子は、より香りの良い分子、例えば香水などを使用してマスキングすることができる。しかし、それに代えて、臭気原因分子を変化させる、中和するおよび／または破壊することが望ましい。より強い臭気抑制特性を有する、改善された体液吸収性部材を提供することもまた有益である。特に、長期間にわたり生成／放出される臭気原因分子を中和および／または破壊して、処理された物品をより長く着用し、前記物品を容易に、気付かれずに処分することを可能にすることが望ましい。
【発明の概要】
【課題を解決するための手段】
【０００５】
簡単な説明
様々な体液を吸収するために使用することができる臭気抑制物品を様々な実施形態で本明細書に開示する。臭気抑制物品は、本明細書で示されている式（Ｉ）のハロ活性芳香族スルホンアミド化合物を含む組成物を含む。
【化１】
2018510039.tif 000003
（式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は、独立して選択されてもよく、
Ｘはハロゲンであり、
Ｍは、アルカリ金属またはアルカリ土類金属であり、
ｎはスルホンアミド化合物の１分子当たりの水分子の数である。）
物品は、以前に記載されたものと比較して、より少量のスルホンアミド化合物、例えば、吸収性部材の吸収許容量１ミリリットル当たり約０．０００２〜約６ミリグラム（ｍｇ／ｍＬ）のスルホンアミド化合物を含む。
【０００６】
特定の実施形態では、Ｒ３はＣＯＯＲ’である。特に、Ｒ’はアルカリ金属またはアルカリ土類金属である。またさらなる実施形態では、Ｒ３はメチル、ＣＯＯＨまたはＣＯＯＭ１であり、他のＲ基は水素である。
【０００７】
またさらなる実施形態では、Ｒ３は、ＣＯＯＨ、ＣＯＯＭ１、ＣＯＯＲ’、ＣＯＮ（Ｒ”）２、ＣＮ、ＮＯ２、ハロゲン、および置換または非置換Ｃ２〜Ｃ１２アルキルから選択される。これらの実施形態では、他のＲ基は通常水素である。より具体的な実施形態では、Ｒ３は、ＣＯＯＨ、ＣＯＯＭ１、ＣＯＯＲ’、およびＣＯＮ（Ｒ”）２から選択される。
【０００８】
特定の実施形態では、スルホンアミド化合物は式（ＩＩＩ）または（ＩＶ）：
【化２】
2018510039.tif 000004
（式中、Ｍ２は、水素、アルカリ金属またはアルカリ土類金属であり、Ｘはハロゲンであり、Ｍは、独立して、アルカリ金属またはアルカリ土類金属であり、ｎは各スルホンアミド化合物の１分子当たりの水分子の数である）
の化合物である。
【０００９】
特定の実施形態では、緩衝剤、例えば炭酸水素ナトリウムなども同様に存在する。ハロ活性芳香族スルホンアミド化合物と緩衝剤との重量比は、約５０：１〜約１：１であってよい。これに代えて、緩衝剤は、吸収性部材が湿っている（典型的には、いくらか酸性である尿で）ときにｐＨ７．０〜９．０を得るのに十分な量で存在する。
【００１０】
さらなる実施形態では、ハロ活性芳香族スルホンアミド化合物は、水溶性シェルに封入されている。これにより、シェルが溶解するにつれて、時間の経過によるスルホンアミドの放出が可能となり、臭気抑制作用の寿命を強化する。
【００１１】
ハロ活性芳香族スルホンアミド化合物は、溶媒も含む臭気抑制組成物の形態で物品に塗布することができる。ハロ活性芳香族スルホンアミド化合物は、組成物の約０．１％〜約２３％（ｗ／ｖ）、または組成物の約０．１％〜５％（ｗ／ｖ）、または組成物の約１０％〜約２０％（ｗ／ｖ）であってよい。組成物は、７．０〜９．０のｐＨを有することができる。
【００１２】
ハロ活性芳香族スルホンアミド化合物は、吸収性基材上に、または吸収性基材内に分散している、固形の形態であり得ることが想定されている。例えば、吸収性基材は、超吸収性ポリマーで作製することができる。
【００１３】
また、吸収性基材と、その上に配置された式（Ｉ）のハロ活性芳香族スルホンアミド化合物：
【化３】
2018510039.tif 000005
（式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は、独立して選択されていてもよく、
Ｘはハロゲンであり、
Ｍは、アルカリ金属またはアルカリ土類金属であり、
ｎはスルホンアミド化合物の１分子当たりの水分子の数である）
とを含む物品も開示する。
【００１４】
吸収性基材は、吸収性材料、例えば、ポリマー、不織材料、セルロース系繊維またはウッドフラッフ（ｗｏｏｄ  ｆｌｕｆｆ）などから作製することができる。吸収性基材は、フラットシート型の形態であってよい。吸収性基材は、おむつ、成人失禁用物品、サニタリーナプキン、タンポン、外傷用包帯もしくは絆創膏、ワイプ、またはパッドに使用することができる。
【００１５】
ハロ活性芳香族スルホンアミド化合物と吸収性基材との重量比は、吸収性基材１グラム当たり約０．００１〜約１．０グラムであってよい。臭気抑制物品は、吸収性基材を臭気抑制組成物で処理し、次いで乾燥させて、臭気抑制物品を得ることによって作製することができる。吸収性基材は、浸漬、スプレーまたは洗浄により処理することができる。
【００１６】
また、少なくとも１週間という期間にわたって、臭気液の臭気を減少させるための方法であって、式（Ｉ）のハロ活性芳香族スルホンアミド化合物：
【化４】
2018510039.tif 000006
（式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は、独立して選択されていてもよく、
Ｘはハロゲンであり、
Ｍは、アルカリ金属またはアルカリ土類金属であり、
ｎはスルホンアミド化合物の１分子当たりの水分子の数である）
をその上に有する吸収性基材を含む物品中に、臭気液を受けることを含む、方法も開示する。
【００１７】
特に、１週間後、液体の臭気は、本明細書で説明されるような測定装置を使用して、元の臭気の最大でも４０％となり得る。
【００１８】
式（Ｉ）のスルホンアミド化合物を含む臭気抑制組成物を使用する他の防臭剤または体臭用製品もまた想定されている。これらは同じ臭気抑制機序を使用する。
【００１９】
本開示の、これらのおよび他の非限定的な特色または特徴について、さらに以下に記載する。
【００２０】
以下は図面の簡単な説明であり、図面は、本明細書で開示されている例示的な実施形態を例示する目的で提示されており、これらを限定する目的で提示されているわけではない。
【図面の簡単な説明】
【００２１】
【図１】図１は、本開示の吸収性部材／基材を含有するおむつの平面図である。
【００２２】
【図２Ａ】図２Ａ〜２Ｃは、３人の個人から得た、未処理および処理したＤｅｐｅｎｄｓ（登録商標）成人失禁用製品の間で２４時間にわたり尿臭の減少を比較した１セットのグラフである。図２Ａは、アスパラガス摂取食（ａｓｐａｒａｇｕｓ  ｄｉｅｔ）中の４６才女性についてである。図２Ｂは、アスパラガス摂取食中の４０才女性についてである。図２Ｃは、コーヒー摂取食（ｃｏｆｆｅｅ  ｄｉｅｔ）中の３０才女性についてである。臭気は、０〜１０のスケール（ｙ軸）で評価し、１０は強い臭気を示す。
【図２Ｂ】図２Ａ〜２Ｃは、３人の個人から得た、未処理および処理したＤｅｐｅｎｄｓ（登録商標）成人失禁用製品の間で２４時間にわたり尿臭の減少を比較した１セットのグラフである。図２Ａは、アスパラガス摂取食中の４６才女性についてである。図２Ｂは、アスパラガス摂取食中の４０才女性についてである。図２Ｃは、コーヒー摂取食中の３０才女性についてである。臭気は、０〜１０のスケール（ｙ軸）で評価し、１０は強い臭気を示す。
【図２Ｃ】図２Ａ〜２Ｃは、３人の個人から得た、未処理および処理したＤｅｐｅｎｄｓ（登録商標）成人失禁用製品の間で２４時間にわたり尿臭の減少を比較した１セットのグラフである。図２Ａは、アスパラガス摂取食中の４６才女性についてである。図２Ｂは、アスパラガス摂取食中の４０才女性についてである。図２Ｃは、コーヒー摂取食中の３０才女性についてである。臭気は、０〜１０のスケール（ｙ軸）で評価し、１０は強い臭気を示す。
【００２３】
【図３】図３は、７１才女性から得た、未処理のおよび処理したＤｅｐｅｎｄｓ（登録商標）成人失禁用製品の間で２４時間にわたり尿臭の減少を比較したグラフである。臭気は、０〜１０のスケール（ｙ軸）で評価し、１０は強い臭気を示す。
【００２４】
【図４】図４は、複数回の排尿後の未処理のおよび処理したＡｌｗａｙｓ（登録商標）Ｄｉｓｃｒｅｅｔ成人失禁用製品の間で尿臭の減少を比較したグラフである。臭気は、０〜１０のスケール（ｙ軸）で評価し、１０は強い臭気を示す。
【００２５】
【図５】図５は、一晩の排尿後の未処理のおよび処理したＡｌｗａｙｓ（登録商標）Ｄｉｓｃｒｅｅｔ成人失禁用製品の間で尿臭の減少を比較したグラフである。臭気は、０〜１０のスケール（ｙ軸）で評価し、１０は強い臭気を示す。
【００２６】
【図６】図６は、２つの異なるタイプの女性用パッドについて、活性スルホンアミド化合物と対照との臭気減少を比較するグラフである。
【００２７】
【図７】図７は、異なる臭気抑制組成物を使用する３種の異なる処理したペット用パッドと４番目の対照パッドについて、時間の経過による臭気減少を比較するグラフである。
【００２８】
【図８】図８は、２つの異なる組成物（ＯＤＯＧａｒｄ（登録商標）対Ｎａｔｕｒｅ’ｓ  Ｍｉｒａｃｌｅ（登録商標））について、時間の経過による臭気減少を比較するグラフである。
【発明を実施するための形態】
【００２９】
詳細な説明
本明細書で開示されている構成要素、方法および器具のさらに完全な理解は、付随する図面への参照により得ることができる。これらの図は、本開示を実証する上での利便性および容易さに基づいた単なる概略的表示にすぎず、したがって、デバイスもしくはその構成要素の相対的なサイズおよび寸法を示すこと、ならびに／または例示的な実施形態の範囲を定義もしくは限定することを意図するものではない。
【００３０】
明瞭さを目的として以下の記載において特定の用語を使用するが、これらの用語は、図面での例証のために選択された実施形態の特定の構造のみを指すことを意図し、本開示の範囲を定義または限定することを意図するものではない。図面および以下の説明において、同様の数字表示は、同様の機能の構成要素を指すことを理解されたい。
【００３１】
単数形「１つの（ａ）」、「１つの（ａｎ）」、および「その（ｔｈｅ）」は、文脈で明確に指示されていない限り、複数の指示対象を含む。
【００３２】
明細書および特許請求の範囲において使用される場合、「含む（ｃｏｍｐｒｉｓｉｎｇ）」という用語は、「からなる（ｃｏｎｓｉｓｔｉｎｇ  ｏｆ）」および「から本質的になる（ｃｏｎｓｉｓｔｉｎｇ  ｅｓｓｅｎｔｉａｌｌｙ  ｏｆ）」実施形態を含み得る。「含む（ｃｏｍｐｒｉｓｅ（ｓ））」「含む（ｉｎｃｌｕｄｅ（ｓ））」「有している（ｈａｖｉｎｇ）」、「有する（ｈａｓ）」、「できる（ｃａｎ）」、「含有する（ｃｏｎｔａｉｎ（ｓ））」という用語およびこれらの変化形は、本明細書で使用される場合、明示された成分／ステップの存在を必要とし、他の成分／ステップの存在を許容する、オープンエンドの移行句、用語または単語であることが意図されている。しかし、このような記載は、組成物または方法を、列挙された成分／ステップ「からなる（ｃｏｎｓｉｓｔｉｎｇ  ｏｆ）」および「から本質的になる（ｃｏｎｓｉｓｔｉｎｇ  ｅｓｓｅｎｔｉａｌｌｙ  ｏｆ）」ものとしても記載していると解釈すべきであり、これらは、明示された成分／ステップのみの存在を、それから生じ得る任意の不純物と共に許容し、他の成分／ステップを排除する。
【００３３】
本出願の明細書および特許請求の範囲における数値は、本出願において記載されているタイプの、値を決定するための従来の測定技術の実験誤差より少ない分だけ、述べられている値と異なる、同じ数の有効数字および数値にした場合に同じである、数値を含むと理解されるべきである。
【００３４】
本明細書で開示されているすべての範囲は、記載された末端値を含み、独立して組み合わせ可能である（例えば、「２から１０」という範囲は、末端値の２と１０、およびすべての中間の値を含める）。
【００３５】
「約」という用語は、その値の基本的機能を変化させずに、変わり得る任意の数値を含むように、使用することができる。範囲と一緒に使用される場合、「約」はまた、２つの末端値の絶対値により定義された範囲を開示し、例えば「約２〜約４」はまた、「２から４」の範囲も開示する。「約」という用語は、示された数の±１０％を指すことができる。
【００３６】
「物品」という用語は、アイテムまたは物体を指すために使用され、サイズによりこのようなアイテムを限定するものと解釈されるべきではない。小さなアイテムを組み立てて、大きなアイテムを形成することができることが具体的に想定されており、小さなアイテムと大きなアイテムの両方が本明細書で「物品」と呼ばれている。
【００３７】
ハロ活性芳香族スルホンアミド有機化合物は公知である。クロラミン−Ｔは、多くの用途で使用されてきたスルホンアミド有機化合物の一例である。クロラミン−Ｔの有用性は、要求に応じて必要とされたときに、活性のあるＣｌ＋イオンを放出し、その直後、同時に活性のある芳香族スルホニトレンのコンパニオンイオンを生成する、その能力を前提とする。活性のあるＣｌ＋イオンおよびそのコンパニオン芳香族スルホニトレンイオンは、臭気原因分子を分解するために一緒に作用することができる。「Ｃｌ＋」という用語は、塩素原子が次亜塩素酸塩イオンＣｌＯ−（スルホンアミド化合物から分離した際に塩素原子が取る形態）において＋１の形式電荷を有するということを指す。塩素原子は一般的に１−の電荷を有すると考えられている。塩素原子が＋１または１−電荷を有するという言及は、本出願で互換的に使用することができる。なぜなら、この用語は、化合物それ自体またはその使用に対していかなる効果も有さないからである。
【００３８】
大部分の臭気原因分子は、メルカプタン、スルフィド、複素環式またはアミン系化合物である。ハロ活性芳香族スルホンアミド化合物は、Ｃｌ＋カチオンとＣｌ＋カチオンが生成された後に残るスルホンアミド部分との両方が臭気原因分子（複数可）と反応するので、これらの種類の化合物から臭気を排除するための優れた作用物質である。
【００３９】
本開示の臭気抑制物品は、本明細書でさらに記載するように、（ｉ）吸収性部材または基材と、（ｉｉ）ハロ活性芳香族スルホンアミド化合物とを一般的に含む。ハロ活性芳香族スルホンアミド化合物は、臭気抑制組成物の形態で吸収性部材もしくは基材に塗布することができる。言い換えると、臭気抑制組成物は、吸収性基材内にまたは吸収性基材全体にわたり全般的に分散させることができる。吸収性基材は、その意図した使用／目的／用途に対して所望するように成形することができる。吸収性部材は、物品、例えばおむつまたは他のサニタリー製品に使用することができる。
【００４０】
臭気抑制する体液吸収性部材の形状は、その使用に応じて変化させることができ、例えば、それは、フラットシート型または管状形態として作製することができる。吸収性部材は一般的に、消費者用物品全体の一部にすぎないことに留意すべきである。
【００４１】
例えば、図１は従来の使い捨ておむつ５５０を例示している。おむつは、２つの主要な部分、シェル５５４およびコアを有する。シェルはおむつの最外部層であり、全般的にコアを一緒に保持し、さもなければ、おむつをユーザー（例えば、乳児または失禁のある成人）にフィットさせるために使用される。コアは、尿が吸収されるおむつの部分である。コアは、表面シート、捕捉分配層（ＡＤＬ）５５２、および吸収性部材５５６を含む。表面シートは皮膚と接触する。ＡＤＬは、液体を表面シートから素早く移動させ、より良い吸収性のために吸収性部材の全域に液体を均一に分布させるように作られている。吸収性部材５５６は、フラットシート型の形状であってよく、ＡＤＬ／表面シートに取り付けられていてもシェルに取り付けられていてもよい。吸収性部材は、所望するように成形することができる。所望する場合、底部シートもまた含まれていてもよい。底部シートは液体に不透過性であり、漏出に対する遮蔽としての役目を果たすことが意図されている。一般的に言えば、吸収性部材は、外被と固定されて最終物品を形成することができ、ここでは、最終物品とはおむつである。おむつなどの物品はまた、他の部分、例えば、伸縮性積層体、弾性フィルム、封止タブまたは接着剤などを含み得る。伸縮性積層体は一般的に、軟質の不織材料を有する弾性フィルムの多層複合材である。伸縮性積層体または弾性フィルムは一般的に、おむつのウエストバンドを形成するため、またはおむつの背部をおむつの前部に固定するバンドを作製するために使用される。封止タブは、おむつの背部をおむつの前部に実際に固定し、バンドに取り付けられている、テープの部分である。
【００４２】
吸収性部材は吸収性材料を一般的に含む。吸収性材料は天然または合成のものであってよい。吸収性材料はまた、繊維、粉末もしくは顆粒の形態であってもよく、または量が多い場合、シート、マット、パッドもしくはチューブの形態であってもよい。例示的な吸収性材料は、（ｉ）ポリアクリレート（例えば、ポリアクリル酸ナトリウム）、ポリアクリルアミドコポリマー、エチレン無水マレイン酸コポリマー、ポリビニルアルコールコポリマー、架橋ポリエチレンオキシド、またはポリアクリロニトリルのデンプングラフトコポリマーから作製された合成繊維と、（ｉｉ）セルロース系繊維、例えば、コットン、レーヨンおよび木材パルプとの混合物を一般的に含む。合成繊維（ｉ）の多くは、これらの自重の１００倍超の液体を吸収することができるので、「超吸収性ポリマー」としても公知である。具体的な実施形態では、吸収性材料は、木材パルプ繊維のシートを微粉砕することによって作製された「フラッフ」を含む。吸収性材料は、乾燥しているときには一般的に固形物であり、粉末、結晶または粒子の形態であってよい。
【００４３】
臭気抑制物品において使用される、および本開示の吸収性部材／基材と共に使用される、ハロ活性芳香族スルホンアミド化合物は、式（Ｉ）の構造：
【化５】
2018510039.tif 000007
（式中、Ｒ１、Ｒ２、Ｒ３、Ｒ４およびＲ５は、独立して、水素、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、
Ｒ’は、水素、アルカリ金属、アルカリ土類金属、置換Ｃ１〜Ｃ１２アルキル、または非置換Ｃ１〜Ｃ１２アルキルであり、
Ｒ”は、水素または置換もしくは非置換Ｃ１〜Ｃ１２アルキルであり、ＣＯＮ（Ｒ”）２の２つのＲ”基は、独立して選択されていてもよく、
Ｘはハロゲンであり、
Ｍは、アルカリ金属またはアルカリ土類金属であり、
ｎはスルホンアミド化合物の１分子当たりの水分子の数である）
を有する。
【００４４】
「芳香族」という用語は、本明細書で使用される場合、その非局在化した電子が化合物全体の安定性に寄与する共役結合の化学的特性を指し、鼻により検出される臭いを指すためには使用されないことに留意すべきである。
【００４５】
一般的にＭは、ナトリウムまたはカリウムである。Ｘは一般的に塩素、臭素、フッ素またはヨウ素であり、特定の実施形態では塩素である。式（Ｉ）の化合物は、変数ｎで示されている通り、水和していても、していなくてもよい。特定の実施形態では、式（Ｉ）の化合物は三水和物（すなわち、ｎ＝３）である。他の実施形態では、化合物は固体形態、例えば粉末などである。
【００４６】
Ｒ’は置換または非置換Ｃ１〜Ｃ１２アルキルである。Ｒ”は、水素または置換もしくは非置換Ｃ１〜Ｃ１２アルキルであり、ＣＯＮ（Ｒ”）２の２つのＲ”基は、独立して選択されていてもよい。
【００４７】
フェニルおよび／またはアルキル基が置換されている場合、１個または複数の水素原子は、独立して、ヒドロキシルまたはハロゲンで置き換えられてもよい。
【００４８】
式（Ｉ）の一部の実施形態では、Ｒ１、Ｒ２、Ｒ３、Ｒ４およびＲ５の少なくとも２つは水素ではない。
【００４９】
式（Ｉ）の特定の実施形態では、Ｒ３は、メチル、ＣＯＯＨまたはＣＯＯＭ１であり、Ｒ１、Ｒ２、Ｒ４およびＲ５は、独立して、水素、ＣＯＯＨ、ＣＯＯＭ１、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、Ｘはハロゲンであり、Ｍ１はアルカリ金属またはアルカリ土類金属であり、ｎはスルホンアミド化合物の１分子当たりの水分子の数である。
【００５０】
さらなる実施形態では、Ｒ３は、メチル、ＣＯＯＨまたはＣＯＯＭ１であり、Ｒ１、Ｒ２、Ｒ４およびＲ５は、独立して、水素、ＣＯＯＨ、ＣＯＯＭ１、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、Ｘはハロゲンであり、Ｍはアルカリ金属またはアルカリ土類金属であり、ｎはスルホンアミド化合物の１分子当たりの水分子の数であり、Ｒ１、Ｒ２、Ｒ４、およびＲ５の少なくとも１つは水素ではない。
【００５１】
式（Ｉ）の他の実施形態では、ハロ活性芳香族スルホンアミド化合物は、式（ＩＩ）の構造：
【化６】
2018510039.tif 000008
（式中、Ｒ３はＣＯＯＲ’であり、Ｒ’は、水素、アルカリ金属、アルカリ土類金属、置換Ｃ１〜Ｃ１２アルキル、または非置換Ｃ１〜Ｃ１２アルキルであり、Ｘはハロゲンであり、Ｍはアルカリ金属またはアルカリ土類金属であり、ｎはスルホンアミド化合物の１分子当たりの水分子の数である）
を有する。式（ＩＩ）のＮ−クロロ−４−カルボキシベンゼンスルホンアミド化合物はまた、本明細書でＢＥＮＺとも呼ばれている。ＢＥＮＺは、クロラミン−Ｔまたはクロラミン−Ｂより低い塩素臭を示す。ＢＥＮＺを少なくとも１種の香料と合わせた場合、大部分のヒトが検出可能な塩素臭はない。
【００５２】
使用に対して想定される２種の特定のスルホンアミド化合物は、Ｎ−クロロ−ｐ−トルエンスルホンアミド（すなわちクロラミン−Ｔ）およびＮ−クロロ−４−カルボキシベンゼンスルホンアミド（すなわちＢＥＮＺ）である。これら２種の化合物を、式（ＩＩＩ）および（ＩＶ）として以下に示す：
【化７】
2018510039.tif 000009
（式中、Ｍ２は水素、アルカリ金属またはアルカリ土類金属であり、Ｘはハロゲンであり、Ｍは、独立して、アルカリ金属またはアルカリ土類金属であり、ｎは各スルホンアミド化合物の１分子当たりの水分子の数である）。
望ましくは、Ｍ２は、水素、ナトリウムまたはカリウムである。
【００５３】
式（Ｉ）のまた他の実施形態では、Ｒ３は、ＣＯＯＨ、ＣＯＯＭ１、ＣＯＯＲ’、ＣＯＮ（Ｒ”）２、ＣＮ、ＮＯ２、ハロゲン、および置換または非置換Ｃ２〜Ｃ１２アルキルから選択され、Ｒ１、Ｒ２、Ｒ４およびＲ５は、独立して、水素、ＣＯＯＨ、ＣＯＯＭ１、ＣＯＯＲ’、ＣＯＮ（Ｒ”）２、アルコキシ、ＣＮ、ＮＯ２、ＳＯ３Ｒ”、ハロゲン、置換または非置換フェニル、スルホンアミド、ハロスルホンアミド、および置換または非置換Ｃ１〜Ｃ１２アルキルから選択され、Ｘはハロゲンであり、Ｍはアルカリ金属またはアルカリ土類金属であり、ｎはスルホンアミド化合物の１分子当たりの水分子の数である。
【００５４】
式（Ｉ）のなお他の実施形態では、Ｒ１、Ｒ２、Ｒ３、Ｒ４およびＲ５は、独立して、水素、ＣＯＯＨ、ＣＯＯＭ１、ＮＯ２、ハロゲン、および置換または非置換Ｃ１〜Ｃ１２アルキルから選択され、Ｘはハロゲンであり、Ｍはアルカリ金属またはアルカリ土類金属であり、ｎはスルホンアミド化合物の１分子当たりの水分子の数である。
【００５５】
式（Ｉ）のまた他の実施形態では、Ｒ２およびＲ４は互いに同一であり、Ｒ１、Ｒ３およびＲ５は水素である。
【００５６】
式（Ｉ）のまた他の実施形態では、Ｒ２およびＲ４は水素であり、Ｒ１、Ｒ３およびＲ５は互いに同一である。
【００５７】
式（Ｉ）のさらなる具体的な実施形態では、Ｒ３は、ＣＯＯＨ、ＣＯＯＭ１、ＣＯＯＲ’およびＣＯＮ（Ｒ”）２から選択される。最も望ましくは、Ｒ３はＣＯＯＨまたはＣＯＯＭ１であり、Ｒ１、Ｒ２、Ｒ４およびＲ５は水素である。
【００５８】
式（Ｉ）の他の実施形態では、Ｒ１、Ｒ２、Ｒ３、Ｒ４およびＲ５は、独立して、水素、ＣＯＯＨ、ＣＯＯＭ１、ＣＯＯＲ’、ＣＯＮ（Ｒ”）２、ＮＯ２、ハロゲン、および置換または非置換Ｃ１〜Ｃ１２アルキルから選択され、Ｒ１、Ｒ２、Ｒ３、Ｒ４およびＲ５の少なくとも１つは水素ではなく、Ｘはハロゲンであり、Ｍはアルカリ金属またはアルカリ土類金属であり、ｎはスルホンアミド化合物の１分子当たりの水分子の数である。
【００５９】
式（Ｉ）のさらなる他の実施形態では、Ｒ３はＣＯＯＨまたはＣＯＯＭ１であり、Ｒ１、Ｒ２、Ｒ４およびＲ５は、独立して、水素、ＮＯ２、ハロゲン、および置換または非置換Ｃ１〜Ｃ１２アルキルから選択され、Ｘはハロゲンであり、Ｍはアルカリ金属またはアルカリ土類金属であり、ｎはスルホンアミド化合物の１分子当たりの水分子の数である。さらなる具体的な実施形態では、Ｒ１、Ｒ２、Ｒ４およびＲ５の少なくとも１つは水素ではない。
【００６０】
式（Ｉ）のハロ活性芳香族スルホンアミド化合物は安定であり、水溶液中で分解しないので、吸収性部材が長い貯蔵寿命を有することを可能にする。式（Ｉ）の化合物はまた、水に非常に溶解性があり、毒性が低く、最小の漂白剤臭を有する。
【００６１】
ハロ活性芳香族スルホンアミド化合物は、吸収性部材の吸収許容量１ミリリットル当たり約０．０００２〜約６ミリグラム（ｍｇ／ｍＬ）の量で存在することができる。例として、吸収性部材が１００ｍＬの許容量を有する場合、０．０２ミリグラム〜６００ｍｇのスルホンアミド化合物が存在し得る。さらなる実施形態では、化合物は、吸収性部材の吸収許容量に対して約０．０００２〜約１ｍｇ／ｍＬ、または約０．１〜約１ｍｇ／ｍＬ、または約０．１〜約０．５ｍｇ／ｍＬ、または約０．５〜約１ｍｇ／ｍＬの量で存在する。吸収性部材中に合計約１０ｍｇ〜約３０００ｍｇ、または約１０ｍｇ〜約１０００ｍｇ、または約２０ｍｇ〜約１０００ｍｇ、または約４０ｍｇ〜約６００ｍｇ、または約１００ｍｇ〜約５００、または約３００ｍｇ〜約４００ｍｇのハロ活性芳香族スルホンアミド化合物が存在し得る。言い換えれば、ハロ活性芳香族スルホンアミド化合物の量は、吸収性部材の約０．００１〜約１．０重量％、または約０．０２５重量％〜約０．５０重量％、または約０．０５重量％〜約０．３０重量％であってよい。この場合も同様に、活性スルホンアミド化合物は、乾燥した固形の粉末の形態であることが特に想定される。
【００６２】
安定性のためおよび最適な性能のため、臭気抑制組成物のｐＨは６〜１４の間であるべきだが、一般的にｐＨは、７から９の間で保持されるべきである。尿は４．５〜８の範囲のｐＨを有する可能性があり、一般的に酸性であるため、このｐＨ範囲はまた、吸収性部材内に収集した尿を中和するのを助ける。
【００６３】
溶液をこれらのｐＨ範囲内に維持するために、緩衝剤が存在し得る。緩衝剤は、尿の酸性度、適用状態、吸収性材料もしくは基材のタイプおよび／または臭気原因分子の性質に起因し得る、ｐＨの任意の変化を埋め合わせることができる。例示的な緩衝剤として、炭酸水素ナトリウム、炭酸水素カリウム、炭酸ナトリウム、炭酸カリウム、酢酸緩衝液（例えば、酢酸ナトリウム）、リン酸緩衝液（例えば、リン酸三ナトリウムおよびリン酸二ナトリウムならびにこれらの混合物）、ｐＨブレンドしたホスフェート、硫酸緩衝液（例えば、硫酸二ナトリウムおよび硫酸三ナトリウムなど）、ならびにこれらの混合物が挙げられる。緩衝剤は、ハロ活性芳香族スルホンアミド化合物を塗布するために使用される臭気抑制組成物の溶解度の限界まで加えることができる。特定の実施形態では、スルホンアミド化合物と緩衝剤との好ましい重量比は、約５０：１〜約１：１、または約５０：１〜約２：１、または約２０：１〜約２：１である。好ましい緩衝剤は炭酸水素ナトリウムである。
【００６４】
開示された組成物における炭酸水素塩の使用はまた、ｐＨ作用に起因する可能性のある発色を低減させると考えられる。特に、炭酸水素塩は、ＢＥＮＺ溶液の黄色の発色を大きく減少させる。この作用は、いくつかの用途、例えば、おむつ、パッド、および黄色の色が好まれない同様の用途において、極めて望ましいものとなり得る。
【００６５】
所望する場合、香料を、吸収性部材／臭気抑制物品に含めることができる。「香料」という用語は、本明細書で使用される場合、式（Ｉ）のハロ活性芳香族スルホンアミド化合物と組み合わせたときに強い臭いを示さない臭気抑制組成物を生成する、１つまたは複数の化学物質を指す。
【００６６】
多くの異なる香料が当技術分野で公知である。しかし、ある特定の香料のみが、強い臭いを示さない組成物をもたらす。特に、スルホンアミドと、強い臭いのない組成物を生じることが予想された香料とのある特定の組合せは、予想通りに性能を発揮しないことが判明した。香料の選択は重要であり、自明ではない。
【００６７】
適切な香料は、ＧｉｖａｕｄａｎおよびＨｏｒｉｚｏｎ  Ａｒｏｍａｔｉｃｓなどの製造業者から市販されている。以下の香料の表は、いくつかの例示的な香料の名称を列挙している：
【表１】
2018510039.tif 000010
【００６８】
この関連で、ラベンダー中の活性化合物はリナロオールおよび酢酸リナリルであり、カモミール中の活性化合物はビサボロールであることが公知である。したがって、香料は、リナロオール、酢酸リナリルまたはビサボロールから選択することができる。
【００６９】
香料は、吸収性部材の約０．００５〜約５重量％の量で存在し得る。一部の実施形態では、香料は、吸収性部材の約０．０１〜約１重量％の量で存在し得る。他の実施形態では、香料は、吸収性部材の約０．０２５〜約０．５重量％、または約０．０５〜約０．１重量％の量で存在し得る。
【００７０】
界面活性剤または湿潤剤もまた、臭気抑制組成物に加えることができる。界面活性剤は、表面張力を低減し、スルホンアミド化合物が体液と接触した際にこれをさらに容易に活性化させることを可能にする。非イオン性とアニオン性の両方の界面活性剤を使用することができる。しかし、具体的な実施形態では、界面活性剤は使用されない。
【００７１】
低分子量のアルコールもまた、スルホンアミド化合物の活性を強化するために臭気抑制組成物に加えることができる。例示的アルコールはｔ−ブタノールである。アルコールはいくつかの作用を有し得る。アルコールは、活性のある芳香族Ｎ−ハロスルホンアミド基の臭気除去活性を強化する。アルコールはまた、表面活性を増加させ、または香料、界面活性化合物などのさらに好ましいブレンドの使用も可能にすることができる。しかし、使用するアルコールのタイプはいくらか限定される。ｔ−ブタノールまたは関連する第三級アルコールが好ましい。なぜなら、これらは酸素アルコール部分に対してアルファの水素原子を含有せず、より大きな安定性を可能にするからである。アルファ水素原子は、活性のある芳香族ハロスルホンアミド化合物に含有されている活性ハロゲンとの相互作用により、明らかに安定性を損なう。しかし、具体的な実施形態では、アルコールは使用されない。
【００７２】
他の実施形態では、スルホンアミド化合物は封入されている。さらに具体的には、スルホンアミド化合物は水溶性媒体内に封入され得る（すなわちコアを形成し得る）。緩衝剤は、コアの一部となることもできるし、または水溶性媒体の外側にとどまることもできる。体液と接触すると、スルホンアミド化合物を封入している媒体がゆっくりと溶解して、スルホンアミド化合物を放出し、次いでこれが悪臭分子と反応することができる。水溶性媒体は、用途に見合うようにシェルまたはゲルまたは液体となり得ることが想定されている。
【００７３】
一般的に、スルホンアミド化合物を含有する臭気抑制組成物は、浸漬、スプレーまたは洗浄により吸収性部材に塗布される。例えば、スルホンアミド化合物は、水または別の溶媒と混合して、緩衝剤と共に水溶液または他の溶液を形成してもよい。スルホンアミド化合物は、水溶液の約０．１％〜約２３％（ｗ／ｖ）の範囲、すなわち水溶液１ミリリットル当たり約０．１〜約２３グラム（ｇ／ｍＬ）のスルホンアミド化合物の範囲であってよい。吸収性材料に塗布した後、溶媒を蒸発させると、活性スルホンアミド化合物が残る。複数回のスプレーを使用して、吸収性部材上の活性スルホンアミド化合物の量を増加させることができる。活性スルホンアミド化合物は、吸収性材料／吸収性部材に含浸させる、または全体にわたり分散させる、または塗布することができると考えられる。
【００７４】
安定で水和した構造の性質により、スルホンアミド化合物は、悪臭分子に遭遇した場合のみ活性化することが判明した。水和した活性スルホンアミド化合物および／または周囲の湿気のいずれかを介した微量な水は、ｐｐｍおよびｐｐｂレベルであってもスルホンアミドを臭気原因分子に結合させるのに十分である。
【００７５】
おむつ作製のために供される原料、例えば、吸収性コア、吸収性材料、接着剤、不織布、ポリフィルム、留め具、弾性材料、捕捉分配層（ＡＤＬ）などは、それら自体が不快な臭気を有する可能性があることが判明し、これらの臭気は焼け焦げた臭いまたは腐ったグレープフルーツのような臭いと描写することができる。これらのおむつの部品／物品は、悪臭分子を放出しないように、臭気抑制組成物に含浸させることができることが想定される。物品の中に組み込まれると、臭気抑制組成物は、臭気原因分子の排除を開始する。臭気抑制組成物の水和した性質および周囲空気条件に起因して、他の固形物から生じる臭気をｐｐｍおよびｐｐｂレベルで有効に抑制するだけの十分な相互作用が存在する。このような臭気は、おむつの部品が組み合わせられるか、または吸収性物品へと製造される前に、除去、排除および／または減少させることができる。
【００７６】
使用される場合、吸収性部材内に存在する活性スルホンアミド化合物は、体液（例えば、尿、汗、血液）と接触することにより活性化される。スルホンアミド化合物は、化学的に活性化され、次いで経時的に放出されて、臭気原因分子を減少させることができる。
【００７７】
ユーザーから物品を取り外すと、使用により物品はこの時点ではるかに高いレベルの流体を含有する。活性スルホンアミド化合物は、悪臭分子と継続して反応し、悪臭分子のレベルを減少させ、望ましくない臭気をさらに減少させる。活性スルホンアミド化合物は、長期間にわたり継続して臭気原因分子と活発に反応する。積極的な使用が完了した後でも、処理した物品の臭気は、継続して低減する。処理した物品は、時を経ても改善された作用を示す。一晩および長期間着用した物品は、長期間の後でも保護が組み込まれている。物品がほぼもしくは完全に飽和するまでは、または尿臭の濃縮によっても、頻繁に物品を交換する必要がないため、これは消費者にとって極めて有用である。さらに、処理された製品は、取り外した後も継続して尿臭を減少させるので、配合物が継続して作用するため、製品の廃棄処分は、顕著ではなく、目立たない。
【００７８】
特に、活性スルホンアミド化合物は、おむつまたは成人失禁用物品に使用することができることが想定される。この関連で、尿は、様々な硫黄含有化合物および窒素含有化合物（これらは濃縮された場合、特に刺激性である）を含有する可能性がある。加えて、経時的に、尿臭は通常ひどくなる。しかし、本開示の物品／吸収性部材は、驚くべきことに、このような臭気を減少させるように継続して作用する。排尿した物品（例えばおむつ）の臭いが経時的にひどくなることが予想され得る場合、本開示のスルホンアミド化合物を使用するような物品は、実際に臭気が減少する。この減少させた臭気は、測定した場合、少なくとも３日間（すなわち７２時間）の期間にわたり、少なくとも１週間（すなわち１６８時間）の期間にわたり、または１カ月（すなわち７２０時間）の期間でもそのままである可能性がある。
【００７９】
本開示の活性スルホンアミド化合物は、多くの異なる生産物および多くの異なる環境において有用である。例えば、これらは、工業用、商業用、および組織的環境、例えば病院などにおいて、織物または硬表面に使用することができる。これらはまた、吸収性物品、例えば、おむつ、失禁用物品など（年長の子供から、成人まで）、および様々な使用のためのパッド、例えば、吸収パッド、女性用パッド、ペット用パッド（例えば、動物用トイレを出る際にネコが踏むためのもの）、肉用パッド（通常、食料品店で販売されている肉の下の敷物として含まれている）、靴の中敷き、気体中和パッド、授乳パッド、汗パッド（ブラ用）などに使用することができる。これらはまた、様々なワイプ、例えば、新生児用ワイプ、脇の下用ワイプ、身体用ワイプ、湿式ワイプ（クレンジングパッド）、ウェットティッシュ、工業用クリーニングのためのワイプ、ペットケア用ワイプ、汗ワイプ、食器ワイプなどにおいて使用することができる。ワイプは湿った状態で販売されるのに対して、吸収性物品はそうでない（すなわち、ワイプの吸収許容量の一部はすでに使用されている）という点で、ワイプは、本明細書中に記載されているような吸収性物品とは異なる。活性スルホンアミド化合物を使用することができる他の物品として、ヘッドバンド（汗臭を取り除く）、家具（例えばシートクッション）、ロッカールーム器具、フィルター（エアコンディショニング、自動車、炉用）などを挙げることができる。
【００８０】
この関連で、フィルターは、ある特定の物質が細孔を通過するのをブロックし、その他は通すようなサイズに作られた細孔を有する、基材を含む。基材は、繊維性材料から作製することができ、活性スルホンアミド化合物は繊維上に分散している。繊維性材料は、吸収体であってもなくてもよい。フィルターは通常乾燥している。すなわち、ワイプのように湿っていない。流体流れ（通常は大気である）はフィルターを通過し、流体流れ中の臭気のある分子は、基材上の活性スルホンアミド化合物と反応する。基材は任意の所望のサイズおよび形状であってよく、通常ひだのある紙の形態である。サポート枠が通常基材を取り囲んでいる。
【００８１】
活性スルホンアミド化合物を含有する臭気抑制組成物は、吸収性物品の構築前または吸収性物品の構築中に、構築材料に塗布することができる。構築用材料に臭気抑制組成物を使用する前に、組成物は、原料の悪臭を除去するため、または臭気抑制組成物が臭気分子に遭遇した際に「待機状態にある」ように原料を予め処理するために、使用することができる。
【００８２】
臭気分子は、製品が他の構築材料と共に依然として袋の中にある間、または製品を着用した時点で（すなわち使用中に）遭遇し得る。原料は、任意のまたはすべての構築材料、例えば、表面シート、捕捉分配層、ティッシュ、コア材、超吸収性ポリマー、裏面シート、伸縮性積層体、弾性材料、封止タブ、接着剤、ポリバッグ（別の物品が封入されている）などを含み得る。
【００８３】
原料は、吸収性物品の構築前に独立して前処理してもよいばかりでなく、製品の構築中にこれらを戦略的に処理してもよい。臭気抑制が戦略的に配置されるように異なる構成要素を処理してもよく、または複数の構成要素を処理することによって、すべての包括的な臭気抑制の相乗効果を生み出してもよい。
【００８４】
本明細書に記載されている臭気抑制物品を作製するために使用した臭気抑制組成物は、原料のタイプ、吸収性物品内の原料の位置、および所望の臭気抑制のタイプ（例えば、原料の臭気、尿臭、排便臭、月経臭、身体の汗臭、ペット臭、食品／肉の臭気）に応じて異なるレベルの臭気抑制を送達するために配合することができる。臭気抑制組成物はさらに、液体もしくは固体、またはその間の任意の形態、例えばゲルまたは半固体の形態であってよく、単独でまたは溶媒と併せて加えることができる。溶媒は、水、アルコール、または別の溶媒であってよい。
【００８５】
本開示の臭気抑制物品は、以下の非限定的実施例により例証されるが、これらの実施例は例証のためのみであることが意図されること、および本出願が、本明細書に記載された材料、条件、プロセスパラメーターなどに限定されることは意図されていないことが、理解される。すべての割合は、特段指示がない限り、重量による。
【実施例】
【００８６】
臭気を試験し、臭気の強度に基づき、ヒトの専門家パネルにより０〜１０のスコアに振り分け、０は臭気がないことを示し、１０は極端な臭気を示す。対照物品は一般的に、活性のある配合物で改質されていない物品または基材であった。本開示の目的のため、スコアは直線的であると仮定する。例えば、７のスコアを有する臭気は、１０のスコアを有する臭気の７０％を有するとされ、３のスコアを有する臭気は、１０のスコアを有する臭気の３０％を有する、などである。この臭気スケールは、実施例のすべてに適用され、よって異なる実施例における同じスコアは同じ臭気レベルを示す。
（実施例１）
【００８７】
材料および方法
【００８８】
１セットの成人失禁用製品（無香料のＤｅｐｅｎｄｓ（登録商標）、大きなサイズの女性用下着）を０．５％ＢＥＮＺ活性配合物（無香料）のポンプスプレーおよそ６０回で処理した。１回当たり０．１３ｍＬのポンプスプレーとして、これは、吸収性コア１つ当たり合計０．０３９グラムの活性化合物となった。約１６．８グラムの吸収性コアに対して、これは、吸収性コア１グラム当たり０．００２３グラムの活性スルホンアミド化合物となる。同じ製品の第２のセットは、対照として未処理のままにしておいた。次いで、年齢３８〜４６才の範囲であり、刺激臭のある尿を生成することを意図した異なる食事を順守した３人の異なる女性から尿を収集した。２０ｍＬの尿を、処理した製品および未処理の製品に同時に注入した。これは、尿１ｍＬ当たり約１．９５ｍｇの活性化合物となった。尿が通常放出される箇所をシミュレートして、尿は製品の中心に注入することに留意されたい。したがって、尿は吸収性コア全体の表面の全域で均一に分配されず、活性化合物の効力は、以下に示されたものよりも大きい。注入の時点でならびに注入後１、３および７分の時点で、臭気について製品を評価した。次いで、各製品をプラスチックバッグに入れ、密閉してから、長期間（１４４０分間）後に臭気について評価した。
【００８９】
結果
【００９０】
以下の表２および図２Ａ〜２Ｃの臭気スケールスコアに示されているように、処理した製品は尿の注入後わずか１分後には臭気の減少を示したが、未処理の製品は、少なくとも８の臭気スコアの強い臭気を保持した。
【表２】
2018510039.tif 000011
【００９１】
処理したすべての３つの試料全体で、尿悪臭は７分以内に元の臭気の５０％未満に減少した。２４時間（すなわち１４４０分）の時点で、すべての処理した試料において、尿悪臭は元の臭気および未処理の臭気の４０％またはそれ未満であった。
（実施例２）
【００９２】
材料および方法
【００９３】
１つの成人失禁用製品（無香料のＤｅｐｅｎｄｓ（登録商標）、大きなサイズの女性用下着）を０．５％ＢＥＮＺ活性配合物（無香料）のポンプスプレーおよそ６０回（吸収性コア１つ当たり０．０３９グラムの活性化合物）で処理した。約１６．８グラムの吸収性コアに対して、これは、吸収性コア１グラム当たり０．００２３グラムの活性スルホンアミド化合物となる。第２の同じ製品は、対照として未処理のままにしておいた。次いで、日中および一晩の間に１人の７１才の女性から尿を収集した。各タイプの尿５０ｍＬを処理した製品および未処理の製品に同時に注入した。これは、尿１ｍＬ当たり約０．７８ｍｇの活性化合物となった。尿が通常放出される箇所をシミュレートして、尿は製品の中心に注入することに留意されたい。したがって、尿は吸収性コア全体の表面の全域で均一に分配されなかった。注入の時点でならびに注入後１、３および７分の時点で、臭気について製品を評価した。次いで、各製品をプラスチックバッグに入れ、密閉してから、長期間（１４４０分間）後に臭気について評価した。
【００９４】
結果
【００９５】
以下の表３および図３の臭気スケールスコアに示されているように、処理した製品は、尿の注入後わずか１分後には臭気の減少を示したが、未処理の製品は、少なくとも８の臭気スコアの強い臭気を保持した。
【表３】
2018510039.tif 000012
【００９６】
すべての処理された試料の全域で、尿悪臭は７分以内に少なくとも２５％減少した。２４時間（すなわち１４４０分）の時点で、尿悪臭は依然として、すべての処理した試料において少なくとも７５％減少した。
（実施例３）
【００９７】
材料および方法
【００９８】
１つの成人失禁用製品（Ａｌｗａｙｓ  Ｄｉｓｃｒｅｅｔ  Ｐａｄ  Ｕｌｔｉｍａｔｅ  Ａｂｓｏｒｂｅｎｃｙ  Ｌｏｎｇ  Ｌｅｎｇｔｈ−Ｆｒａｇｒａｎｃｅｄ  Ａｌｗａｙｓ）を、０．７５％ＢＥＮＺ活性配合物（無香料）のポンプスプレーおよそ６０回（すなわち、吸収性コア１つ当たり０５８５グラムの活性化合物）で処理した。第２の同じ製品は、対照として未処理のままにしておいた。次いで、１人の４６才女性から尿を収集した。６０ｍＬの尿を処理した製品および未処理の製品に同時に注入した。後に、追加の４０ｍＬの尿を、処理した製品および未処理の製品に同時に注入した。注入の時点および注入後３時間の時点で、臭気について製品を評価した。これは、尿１ｍＬ当たり約０．５８５ｍｇの活性化合物となった。この場合も同様に、尿が通常放出される箇所をシミュレートして、尿は製品の中心に注入し、吸収性コア全体の表面の全域で均一に分配しなかった。
【００９９】
結果
【０１００】
以下の表４および図４の臭気スケールスコアに示されているように、処理した製品は、尿を注入すると臭気の減少を示したが、未処理の製品は強い臭気を保持した。
【表４】
2018510039.tif 000013
【０１０１】
尿悪臭および全香料強度は、３時間にわたり８０％超減少した。１週間後、全部の尿臭は依然として両方の未処理の臭気の１０％未満であった。
（実施例４）
【０１０２】
材料および方法
【０１０３】
１つの成人失禁用製品（Ａｌｗａｙｓ  Ｄｉｓｃｒｅｅｔ  Ｕｎｄｅｒｗｅａｒ  Ｓ／Ｍ  Ｍａｘｉｍｕｍ  Ａｂｓｏｒｂｅｎｃｙの表面シート）を、０．７５％ＢＥＮＺ活性配合物（無香料）のポンプスプレーおよそ７５回（０．０７３グラムの活性化合物）で処理した。第２の同じ製品（表面シート）を、１％ＢＥＮＺ活性配合物（無香料）のポンプスプレーおよそ１２０回（０．１５６グラムの活性化合物）で処理した。第３の製品は、対照として未処理のままにしておいた。製品の乾燥重量は単独で５４．８グラムであり、コアの重量はおよそ１９．２グラムであった。１人の４６才の女性が各試料製品に一晩排尿した。各製品は、尿注入の時点で臭気評価のために取り外し、次いで注入後１時間、３時間および６時間の時点で取り外した。次いで、各製品をプラスチックバッグに入れ、１週間の時点での臭気評価まで長期間密閉した。製品を使用したので、排尿した液体の量は製品間で異なった。
【０１０４】
結果
【０１０５】
以下の表５および図５の臭気スケールスコアに示されているように、処理した製品は、使用の３〜６時間以内に臭気における有意な減少を示し、処理した製品は、時間が経つにつれて、尿の悪臭が少なくなることを継続して実証した。しかし未処理の製品は、経時的に尿悪臭の増加を示した。１週目において、処理した臭気は未処理の臭気の概して１５％であった。
【表５】
2018510039.tif 000014
（実施例５）
【０１０６】
材料および方法
【０１０７】
１つの成人失禁用製品（Ｄｅｐｅｎｄｓ（登録商標）大きなサイズの女性用下着のコア）を、吸収性コア上への１％ＢＥＮＺ活性配合物（無香料）のポンプスプレーおよそ８０回（０．１０４グラムの活性化合物）で処理した。第２の同じ製品（コア）を１％ＢＥＮＺ活性配合物（無香料）のポンプスプレーおよそ１２０回（０．１５６グラムの活性化合物）で処理した。製品の乾燥重量は単独で４４．７グラムであり、コア重量はおよそ１６．８グラムであった。１人の４６才の女性により各試料製品内で２回排尿が行われた。２時間後、臭気評価のために各製品を取り外し、次いでプラスチックバッグに入れ、３日の時点での臭気評価前まで長期間密閉した。
【０１０８】
結果
【０１０９】
以下の表６の臭気スケールスコアに示されているように、処理された製品は、漏出が起こったときでも経時的に臭気における有意な減少を示した。３日後、臭気は両方の処理した製品において元の臭気の７０％未満に減少したままである。
【表６】
2018510039.tif 000015
（実施例６）
【０１１０】
材料および方法
【０１１１】
２つのＰａｍｐｅｒｓ  Ｃｒｕｉｓｅｒｓ（サイズ４）（香り付き新生児用製品）を、１％ＢＥＮＺ活性配合物（無香料）のポンプスプレーおよそ６０回（０．０７８グラムの活性化合物）でそれぞれ処理した。第３の同じ製品は対照として未処理のままにしておいた。製品の乾燥重量は単独で３７．６グラムであり、コア重量はおよそ６．１グラムであった。次に、各製品を新生児に装着し、一晩着用させた。朝、各製品を取り外し、尿の悪臭を経時的に観察した。
【０１１２】
結果
【０１１３】
以下の表７の臭気スケールスコアに示されているように、処理した製品は、経時的に臭気における有意な減少を示した。しかし、未処理の製品の悪臭は経時的に増加した。
【表７】
2018510039.tif 000016
（実施例７）
【０１１４】
材料および方法
【０１１５】
２つのＨｕｇｇｉｅｓ  Ｏｖｅｒｎｉｇｈｔｓ（サイズ４）新生児用製品を０．７５％ＢＥＮＺ活性配合物（無香料）のポンプスプレーおよそ６０回（０．０５８５グラムの活性化合物）でそれぞれ処理した。同じ製品の４つの製品は、対照として未処理のままにしておいた。製品の乾燥重量は単独で４５．２グラムであり、コア重量はおよそ２３．９グラムであった。次に、各製品を新生児に装着し、一晩着用させた。朝には、各製品を取り外し、経時的に尿悪臭を観察した。
【０１１６】
結果
【０１１７】
以下の表８の臭気スケールスコアに示されているように、処理した製品は、未処理の製品と比較して臭気における減少を示した。表８においてアスタリスクの付いた製品は、子供は歯が生え始めて、熱を出していたことを示している。
【表８】
2018510039.tif 000017
（実施例８）
【０１１８】
材料および方法
【０１１９】
サイズ４の新生児用製品の表面シートを、０．５％ＢＥＮＺ活性配合物（無香料）のポンプスプレーおよそ３０回（吸収性材料１グラム当たり０．０１９５グラムの活性化合物）でそれぞれ処理した。同じ製品の１セットは、対照として未処理のままにしておいた。処理した製品をバッグ内に一緒に配置し、その一方で未処理の製品は別のバッグ内に一緒に配置した。製品を約１カ月間密閉したバッグ内に保持した。次に、４６才の女性から一晩の尿を朝取得した。次いで、尿を室温で４時間保持し、各製品を１００ｍＬの尿で処理した。これは、尿１ｍＬ当たり約０．１９５ｍｇ活性化合物となった。この場合も同様に、尿が通常放出される箇所をシミュレートして、尿は製品の中心に注入して、吸収性コア全体の表面の全域で均一に分配しなかったので、活性化合物の効力は示されたものよりも大きい。
【０１２０】
結果
【０１２１】
以下の表９の臭気スケールスコアに示されているように、処理した製品は未処理の製品と比較して臭気における減少を示した。１２時間後、有意な尿悪臭の減少が、処理した製品において観察された。これらはすべてこれらの元の臭気の約４０％であり、未処理の臭気と比較して約４０％低かった。
【表９】
2018510039.tif 000018
（実施例９）
【０１２２】
材料および方法
【０１２３】
１％ＢＥＮＺおよび０．５％炭酸水素ナトリウムを使用して活性配合物を作製した。次いで、１２０回のスプレー（０．１５６グラムの活性化合物）を２つの異なる製品に加えた：（１）Ｄｅｐｅｎｄｓ（登録商標）、Ｆｉｔ−Ｆｌｅｘ  Ｐｒｏｔｅｃｔｉｏｎ  Ｍｏｄｅｒａｔｅ  Ａｂｓｏｒｂｅｎｃｙ  Ｓ／Ｍ（２８〜４０インチ／７１〜１０２ｃｍウエスト）を有する女性用下着用のもの、および（２）Ａｌｗａｙｓ（登録商標）Ｄｉｓｃｒｅｅｔ。同じ製品の１セットは、対照としての役目を果たすように別にしておき、１５０ｍＬの尿（アスパラガス摂取食、一晩分の朝一番の排尿）を各製品に注入した。これにより、尿１ｍＬ当たりおよそ１．０４ミリグラムの活性化合物となった。この場合も同様に、尿が通常放出される箇所をシミュレートして、尿は製品の中心に注入し、吸収性コア全体の表面の全域で均一に分配しなかったので、活性化合物の効力は示されているものより大きい。
【０１２４】
結果
【０１２５】
以下の表１０の臭気スケールスコアに示されているように、処理した製品は、未処理の対照製品と比較して、臭気において有意な減少を示した。２４時間後、処理した製品は、元の臭気の４０％またはそれ未満であった。
【表１０】
2018510039.tif 000019
（実施例１０）
【０１２６】
材料および方法
【０１２７】
尿悪臭の減少についての異なる活性配合物の有効性を評価するため、および複数回の排尿での時間の経過による活性配合レベルに対する閾値を評価するために、２種の異なる活性配合物を調製した。ＦＢ０５は、５％ＢＥＮＺおよび０．７５％炭酸水素ナトリウムからなった。ＦＴ０５は、５％クロラミン−Ｔおよび０．７５％炭酸水素ナトリウムから調製した。次いで、ＦＢ０５の２４回スプレー（０．１５６グラムの活性化合物）を、Ｆｉｔ−Ｆｌｅｘ  Ｐｒｏｔｅｃｔｉｏｎ  Ｍｏｄｅｒａｔｅ  Ａｂｓｏｒｂｅｎｃｙ  Ｓ／Ｍ（２８〜４０インチ／７１〜１０２ｃｍ）を有する女性用下着用の１つのＤｅｐｅｎｄｓ（登録商標）に加え、ＦＴ０５の２４回スプレー（０．１５６グラムの活性化合物）を第２の同一製品に加えた。製品の表面シートを引き剥がして、吸収性コア材を露出させた。活性配合物を吸収性コア材上にスプレーして、風乾させた。次いで、表面シートをコア材上に戻した。第３の同じ製品は、対照としての役目を果たすように別にしておいた。
【０１２８】
次に、１５０ｍＬの尿を各製品に注入した。注入した尿は、一晩の尿と、アスパラガス摂取食を順守した対象から採取した尿と、カフェイン摂取食を順守している対象から採取した尿とを合わせた試料であった。臭気を定期的に採点した。
【０１２９】
最初の尿の注入の２時間後、７５ｍＬの合わせた尿を各製品に加え、１製品当たりの尿の総量を２２５ｍＬにした。さらに１時間後、追加の７５ｍＬの合わせた尿を各製品に加え、１製品当たりの尿の総量を３００ｍＬにした。これにより、尿１ｍＬ当たりおよそ０．５２ミリグラムの活性化合物となった。この場合も同様に、尿が通常放出される箇所をシミュレートして、尿は製品の中心に注入し、吸収性コア全体の表面の全域で均一に分配しなかったので、活性化合物の効力は示されたものより大きい。
【０１３０】
結果
【０１３１】
以下の表１１の臭気スケールスコアに示されているように、両方の活性配合物で処理した製品は、未処理の対照製品と比較して、臭気において有意な減少を示した。２４時間後、処理した製品の臭気は非常に低いままであり、これらの元の臭気および未処理の臭気の約１５％であった。予想通り、３日間にわたり臭気は増加したが、処理した製品は依然として対照よりもより良い性能を発揮した。第７日目には、中程度の吸収製品にとって３００ｍｌというより大きな排尿量により、および尿の位置が処理したコア領域の約３分の１であったため、尿臭はすべての製品について増加した。
【表１１】
2018510039.tif 000020
（実施例１１）
【０１３２】
材料および方法
【０１３３】
尿悪臭の減少について異なる活性配合物の有効性を評価するため、ならびに複数回の排尿での時間の経過による活性配合レベルに対する閾値を評価するために、２種の異なる活性配合物を調製した。ＦＢ２０は、２０％ＢＥＮＺおよび１％炭酸水素ナトリウムからなった。ＦＴ１０は、１０％クロラミン−Ｔおよび１．３％炭酸水素ナトリウムから調製した。次いで、ＦＢ２０のＦＢ２０ＦＴ１０２０スプレー（０．５２グラムの活性化合物）を、１つのＴｒａｎｑｕｉｌｉｔｙ  Ｐｒｅｍｉｕｍ  Ｐｒｏｔｅｃｔｉｏｎ  Ｍａｘｉｍｕｍ  Ｐｒｏｔｅｃｔｉｏｎ  １００５ｍＬ、ＳｍａｒｔＣｏｒｅ  Ｄａｙｔｉｍｅ／Ｎｉｇｈｔｔｉｍｅ  Ｄｉｓｐｏｓａｂｌｅ  Ｂｒｉｅｆｓ、サイズＬに加え、ＦＴ１０（０．５２グラムの活性化合物）の４０回スプレーを第２の同一の製品に加えた。製品の表面シートを引き剥がし、吸収性コア材を露出させた。活性配合物を吸収性コア材上にスプレーし、風乾させた。次いで、表面シートをコア材上に戻した。第３の同じ製品は、対照としての役目を果たすように別にしておき、２００ｍＬの尿を各製品に注入した。注入される尿は、一晩の尿と、アスパラガス摂取食を順守した対象から採取した尿と、カフェイン摂取食を順守した対象から採取した尿とを合わせた試料であった。臭気を定期的に採点した。
【０１３４】
尿注入の４５分後、２００ｍＬの合わせた尿を各製品に加え、１製品当たり尿の総量を４００ｍＬにした。さらに１．２５時間後、追加の２００ｍＬの合わせた尿を各製品に加え、１製品当たりの尿の総量を６００ｍＬにした。これにより、尿１ｍＬ当たりおよそ０．８７ミリグラムの活性化合物となった。この場合も同様に、尿が通常放出される箇所をシミュレートして、尿は製品の中心に注入し、吸収性コア全体の表面の全域で均一に分配しなかったので、活性化合物の効力は示されたものより大きい。
【０１３５】
結果
【０１３６】
以下の表１２の臭気スケールスコアに示されているように、両方の活性配合物で処理した製品は、未処理の対照製品と比較して、臭気において有意な減少を示した。３日後、処理した製品の臭気は依然として非常に弱く、依然として対照製品の臭気の５０％であった。
【表１２】
2018510039.tif 000021
（実施例１２）
【０１３７】
材料および方法
【０１３８】
表面シートに塗布した場合の、尿悪臭の減少に対する活性配合物の効力を、コア材と比較して評価するため、ならびに複数回の排尿での時間の経過による活性配合レベルに対する閾値を評価するために、１つの活性配合物を調製した。ＦＢ２０は、２０％ＢＥＮＺおよび１％炭酸水素ナトリウムからなった。次いで、ＦＢ２０のＦＢ２０２０スプレー（０．５２グラムの活性化合物）を、１つのＴｒａｎｑｕｉｌｉｔｙ  Ｐｒｅｍｉｕｍ  Ｐｒｏｔｅｃｔｉｏｎ  Ｍａｘｉｍｕｍ  Ｐｒｏｔｅｃｔｉｏｎ  １００５ｍＬ  ＳｍａｒｔＣｏｒｅ  Ｄａｙｔｉｍｅ／Ｎｉｇｈｔｔｉｍｅ  Ｄｉｓｐｏｓａｂｌｅ  Ｂｒｉｅｆｓ、サイズＬの表面シートに加えた。ＦＢ２０の２０回のスプレー（０．５２グラムの活性化合物）を第２の同一製品のコアに加えた。製品の表面シートを引き剥がし、吸収性コア材を露出させた。活性配合物を吸収性コア材上にスプレーし、風乾させた。次いで、表面シートをコア材上に戻した。第３の同じ製品は対照としての役目を果たすために別にしておき、３００ｍＬの尿を各製品に注入した。注入した尿は、一晩の尿と、アスパラガス摂取食、カフェイン摂取食を順守している対象から採取した尿とを合わせた試料であった。臭気は定期的に採点した。
【０１３９】
尿注入の１０分間後、３００ｍＬの合わせた尿を各製品に加え、１製品当たりの尿の総量を６００ｍＬにした。これにより、尿１ｍＬ当たりおよそ０．８７ミリグラムの活性化合物となった。この場合も同様に、尿が通常放出される箇所をシミュレートして、尿は製品の中心に注入し、吸収性コア全体の表面の全域で均一に分配しなかったので、活性化合物の効力は示されたものより大きい。
【０１４０】
結果
【０１４１】
以下の表１３の臭気スケールスコアに示されているように、活性配合物で処理した製品は、未処理の対照製品と比較して、臭気における有意な減少を示した。臭気減少は表面シートとコアの両方でおよそ同じであり、両方とも未処理の対照の臭気の約２５％であった。
【表１３】
2018510039.tif 000022
（実施例１３）
【０１４２】
材料および方法
【０１４３】
尿悪臭の減少についての、より低い塗布での活性配合物の効力を評価するため、ならびに複数回の排尿での時間の経過による活性配合レベルに対する閾値を評価するために、１つの活性配合物を調製した。ＦＢ２０は、２０％ＢＥＮＺおよび１％炭酸水素ナトリウムからなった。次いで、ＦＢ２０の１１回のスプレー（０．２８６グラムの活性化合物）を、１つのＴｒａｎｑｕｉｌｉｔｙ  Ｐｒｅｍｉｕｍ  Ｐｒｏｔｅｃｔｉｏｎ  Ｍａｘｉｍｕｍ  Ｐｒｏｔｅｃｔｉｏｎ  １００５ｍＬ  ＳｍａｒｔＣｏｒｅ  Ｄａｙｔｉｍｅ／Ｎｉｇｈｔｔｉｍｅ  Ｄｉｓｐｏｓａｂｌｅ  Ｂｒｉｅｆｓ、サイズＬのコアに加えた。第２の同じ製品を、対照としての役目を果たすために別にしておいた。
【０１４４】
３００ｍＬの尿を各製品に注入した。注入した尿は、一晩の尿と、アスパラガス摂取食、カフェイン摂取食を順守している対象から採取した尿とを合わせた試料であった。臭気は定期的に採点した。尿注入の１０分後、３００ｍＬの合わせた尿を各製品に加え、１製品当たりの尿の総量を６００ｍＬにした。これにより、尿１ｍＬ当たりおよそ０．４８ミリグラムの活性化合物となった。この場合も同様に、尿が通常放出される箇所をシミュレートして、尿は製品の中心に注入し、吸収性コア全体の表面の全域で均一に分配しなかったので、活性化合物の効力は示されたものより大きい。
【０１４５】
結果
【０１４６】
以下の表１４の臭気スケールスコアに示されているように、活性配合物で処理した製品は、未処理の対照製品と比較して、臭気における有意な減少（およそ５０％）を示した。
【表１４】
2018510039.tif 000023
（実施例１４）
【０１４７】
材料および方法
【０１４８】
５％ＢＥＮＺおよび炭酸水素ナトリウムを使用して、活性配合物を作った。次いで、活性配合物のスプレー７０回（０．０４５５グラムの活性化合物）を、５グラムの超吸収性ポリマー（ＳＡＰ）原料（あらゆる液体配合物を吸収することが予想された）に適用した。これは、ＳＡＰ１グラム当たりおよそ０．００９グラムの活性化合物であった。試験用尿試料は、キツネおよびミンクの尿を含んでいた。
【０１４９】
結果
【０１５０】
以下の表１５の臭気スケールスコアに示されているように、処理したＳＡＰは、未処理の対照と比較して、臭気における有意な減少を示した。各液滴の重量は約０．０２グラムであった。
【表１５】
2018510039.tif 000024
（実施例１５）
【０１５１】
材料および方法
【０１５２】
０．４グラムの乾燥クロラミン−Ｔを３グラムの超吸収性ポリマー（ＳＡＰ）に塗布した（約１１．７重量％の活性化合物、ＳＡＰ１グラム当たり０．１３グラムの活性化合物）。無希釈のミンク尿を試験用に使用した。各液滴の重量は約０．０２グラムであった。
【０１５３】
結果
【０１５４】
以下の表１６の臭気スケールスコアに示されているように、１１．７％の活性配合物で前処理したＳＡＰは、悪臭の即時排除を示した。
【表１６】
2018510039.tif 000025
（実施例１６）
【０１５５】
材料および方法
【０１５６】
０．３グラムの乾燥クロラミン−Ｔを５．９９グラムの超吸収性ポリマー（ＳＡＰ）（約４．８重量％の活性化合物、ＳＡＰ１グラム当たり０．０５グラムの活性化合物）に塗布した。無希釈のキツネ尿を試験に使用した。
【０１５７】
３滴の無希釈のキツネ尿をＳＡＰに最初に注入した。その後およそ１〜２分間おきに、３〜１１滴のさらなる無希釈のキツネ尿をＳＡＰに注入して、１試料当たりの最終合計を約４０滴とした。各液滴の重量は約０．０２グラムであった。
【０１５８】
結果
【０１５９】
以下の表１７の臭気スケールスコアに示されているように、４．８％活性配合物で前処理したＳＡＰ（緩衝液なし）は、即時の尿悪臭の減少を示した。処理したＳＡＰにさらに尿を加えると、悪臭は、対照と比較して、少なくとも５０％低いままであった。
【表１７−１】
2018510039.tif 000026
【表１７−２】
2018510039.tif 000027
（実施例１７）
【０１６０】
材料および方法
【０１６１】
緩衝液なしでの最初の試料用に、０．３グラムの乾燥クロラミン−Ｔを６グラムの超吸収性ポリマー（ＳＡＰ）（約４．８重量％の活性化合物、ＳＡＰ１グラム当たり０．０５グラムの活性化合物）に塗布した。６グラムのＳＡＰ、０．３グラムのクロラミン−Ｔおよび０．５グラムの炭酸水素ナトリウム（緩衝液）を含有する第２の試料を加えた（約４．４重量％の活性化合物）。コーヒー摂取食を順守している人間から得たヒト尿を試験に使用した。
【０１６２】
１滴のヒト尿をＳＡＰ試料に最初に注入した。追加のさらなる２〜５０滴のヒト尿をＳＡＰ試料に注入して、１試料当たりの最終合計を３５０滴（約１８ｍＬ）とした。
【０１６３】
結果
【０１６４】
以下の表１８の臭気スケールスコアに示されているように、活性配合物で前処理したＳＡＰ（緩衝液ありでもなしでも）は、即時の尿悪臭の減少を示し、さらなる尿がＳＡＰに加えられた場合でさえも、この悪臭減少を維持した。しかし、前処理したＳＡＰは低い塩素臭を維持し、これは、尿注入が増加すると共に低減し、その一方で、対照は塩素臭がなく、高い尿悪臭を示した。
【表１８−１】
2018510039.tif 000028
【表１８−２】
2018510039.tif 000029
（実施例１８）
【０１６５】
材料および方法
【０１６６】
０．０６グラムの乾燥クロラミン−Ｔを、緩衝液なしで、６グラムの超吸収性ポリマー（ＳＡＰ）（約１．０重量％の活性化合物、ＳＡＰ１グラム当たり０．０１グラムの活性化合物）に塗布した。別の試料において、０．０６グラムの乾燥ＢＥＮＺを６グラムのＳＡＰに塗布した。ヒト尿を試験に使用した。
【０１６７】
１０滴のヒトの尿をＳＡＰ試料に最初に注入した。追加の１０〜２０滴のヒト尿をＳＡＰ試料に定期的に注入し、１試料当たり最終合計が２００滴とした。
【０１６８】
結果
【０１６９】
以下の表１９の臭気スケールスコアに示されているように、クロラミン−ＴとＢＥＮＺの両方が臭気の減少において良好に機能した。処理したＳＡＰ試料は両方とも低い塩素臭を維持し、その一方で、対照は、塩素臭がなく、高い尿の悪臭を示した。
【表１９】
2018510039.tif 000030
（実施例１９）
【０１７０】
材料および方法
【０１７１】
成人失禁用製品を臭気抑制について評価した。女性（サイズＳ／Ｍ）用Ｄｅｐｅｎｄｓ（登録商標）およびＤｅｐｅｎｄｓ（登録商標）Ｓｉｌｈｏｕｅｔｔｅｓは無香料製品であった。Ａｌｗａｙｓ（登録商標）Ｄｉｓｃｒｅｅｔは、香り付き下着バージョンであった。すべての製品の辺を切断して、製品を平坦に置けるようにした。処理した製品の表面シートを切断し、折り返して、１％ＢＥＮＺおよび０．５％炭酸水素ナトリウム緩衝液の溶液を吸収性材料（コア）の上側部分に均一にスプレーできるようにした。１２０回のスプレーを塗布し、風乾させた。コア表面領域上の活性化合物の総量は、吸収性材料１グラム当たり０．１５６グラムの活性化合物であった。表面シートをコア上に戻し、尿試料を表面シートに注入した。アスパラガス摂取食中の女性から、朝一番の排尿時に（一晩の尿）尿試料を収集した。１５０ｍＬの尿を各試験製品に注入した。
【０１７２】
結果
【０１７３】
以下の表２０の臭気スケールスコアに示されているように、処理した試料は、これらの元の臭気と比較して、および未処理の試料と比較して、各時点においてはるかに低い臭気を有した。
【表２０】
2018510039.tif 000031
（実施例２０）
【０１７４】
材料および方法
【０１７５】
実施例１９の試験をより長い期間実施した。
【０１７６】
女性（サイズＳ／Ｍ）用Ｄｅｐｅｎｄｓ（登録商標）は無香料製品であった。Ａｌｗａｙｓ（登録商標）Ｄｉｓｃｒｅｅｔは香り付き製品であった。すべての製品の辺を切断して、製品を平坦に置けるようにした。処理した製品の表面シートを切断し、折り返して、１％ＢＥＮＺおよび０．５％炭酸水素ナトリウム緩衝液の溶液を吸収性材料（コア）の上側部分に均一にスプレーできるようにした。１２０回のスプレーを塗布し、風乾させた。コア表面領域上の活性化合物の総量は、１製品当たり０．１５６グラムの活性化合物であった。約１６．８グラムである吸収性コアに対して、これは吸収性コア１グラム当たり０．００９グラムの活性化合物であった。約１９．２グラムである吸収性コアに対して、これは、吸収性コア１グラム当たり０．００８グラムの活性化合物であった。表面シートをコア上に戻した。別の試験として、Ａｌｗａｙｓ（登録商標）Ｄｉｓｃｒｅｅｔ製品の１つの上で、１％ＢＥＮＺ溶液を表面シート上にスプレーし、コア上にはスプレーしなかった。アスパラガス摂取食中の女性から、朝一番の排尿時に（一晩の尿）尿試料を収集した。１５０ｍＬの尿を各試験製品の表面シートに注入した。
【０１７７】
結果
【０１７８】
以下の表２１の臭気スケールスコアに示されているように、３日間の各時点において、これらの元の臭気と比較して、および未処理の試料と比較して、処理した試料の臭気ははるかに低かった。コアおよび表面シートへの塗布は、臭気の減少において等しく有効であった。処理した製品の臭気は、３日後でさえも、未処理の製品の臭気のおよそ２５％であった。
【表２１】
2018510039.tif 000032
（実施例２１）
【０１７９】
材料および方法
【０１８０】
Ａｌｗａｙｓ（登録商標）Ｕｌｔｒａ  Ｔｈｉｎ  Ｐａｄ（Ｌｏｎｇ  Ｓｕｐｅｒ）およびＵ  ｂｙ  Ｋｏｔｅｘ（登録商標）（Ｕｌｔｒａ  Ｔｈｉｎ  Ｌｏｎｇ）パッドを月経臭抑制について評価した。対照製品は未処理であった。処理した製品に対して、パッドの表面シートを切断し、折り返して吸収性材料（コア）を露出させた。試験製品を、５％ＢＥＮＺおよび０．７５％炭酸水素ナトリウムを含有する配合物のスプレー７回で処理し、コア上に均一にスプレーして、女性用パッド１枚当たり合計約０．０４５グラムの活性化合物とした。パッドのコア（吸収性材料）は約５グラムであったので、吸収性材料１グラム当たり約０．００９グラムの活性化合物が存在した。コアを風乾させた。使用に備えて、表面シートをコア上に戻して固定した。
【０１８１】
パネリストは、月経周期中、対照パッドと、処理したパッドを交互に使用した。
【０１８２】
結果
【０１８３】
結果を図６に示す。そこで観察される通り、処理した試料の臭気は、未処理の試料と比較してより低かった。処理または未処理であるかに関わらず、Ｋｏｔｅｘ（登録商標）パッドは臭気がより低かった。結果は、スルホンアミド化合物が、（尿ばかりでなく）月経臭も減少させることを示した。
（実施例２２）
【０１８４】
材料および方法
【０１８５】
３つの無香料トレーニングペット用パッドを試験製品として使用した。１つのパッドは対照であり、改質していなかった。第２の無香料パッドには、市販の臭気抑制製品であるＮａｔｕｒｅ’ｓ  Ｍｉｒａｃｌｅ（登録商標）をスプレーした。第３の無香料パッドには、０．７５％ＢＥＮＺおよび０．１５％クロラミン−Ｔを含有する配合物（ＦＢＴ）をスプレーした。試験した基材上の活性スルホンアミド化合物の総量は約０．０７グラムであった。これら２つのスプレー処理した製品に対して、不織表面シートを持ち上げ、試験製品を吸収性材料上に均一にスプレーできるようにした。製品を２４時間超風乾させた。次いで、表面シートを吸収性材料上に再度置いた。第４の試験製品は、Ｎａｔｕｒｅ’ｓ  Ｍｉｒａｃｌｅ（登録商標）香り付きペット用パッドであった。ミンク尿を表面シートに注入し、経時的に臭気を評価することによって、すべての４つのパッドを試験した。ミンク尿の各液滴の重量はおよそ０．０２グラムであった。
【０１８６】
結果
【０１８７】
結果を表２２および図７に示す。３つの処理したパッドは、対照と比較して、臭気減少を表示した。しかし、活性スルホンアミド化合物をスプレーしたパッドのみが、経時的に臭気減少を維持した。
【表２２】
2018510039.tif 000033
（実施例２３）
【０１８８】
材料および方法
【０１８９】
３滴の無希釈のミンク尿を３つのビーカーのそれぞれに注入した。各液滴の重量は約０．０２グラムであった。ＯＤＯＧａｒｄ（登録商標）Ｏｄｏｒ  Ｅｌｉｍｉｎａｔｏｒ（すなわちＦＢＴ配合物）のスプレー１回を１つのビーカーに塗布した。スプレーは、合計約１．２５〜１．３５ｍｌの配合物を送達し、合計約０．０１グラムの活性スルホンアミド化合物となった。Ｎａｔｕｒｅ’ｓ  Ｍｉｒａｃｌｅ（登録商標）３  ｉｎ  １  Ｏｄｏｒ  Ｄｅｓｔｒｏｙｅｒのスプレー１回を第２のビーカーに塗布した。対照ビーカーは処理しなかった。臭気を経時的に評価した。各液滴の重量は約０．０２グラムであった。
【０１９０】
結果
【０１９１】
結果を表２３および図８に示す。ＯＤＯＧａｒｄ（登録商標）Ｏｄｏｒ  Ｅｌｉｍｉｎａｔｏｒのみが臭気を排除し、２日間臭気減少を維持した。
【０１９２】
Ｎａｔｕｒｅ’ｓ  Ｍｉｒａｃｌｅ（登録商標）製品は、香料マスキングと酵素とを組み合わせていると考えられる。最初に尿に塗布した場合、香り強度は非常に高いので、尿臭を検出するのは困難であった。香料が消えるにつれて、常にそこにあった潜在的な尿臭が検出可能となる。さらに、臭気原因分子を中和するための酵素的アプローチは長時間かかる。対照的に、活性スルホンアミド化合物を含有するＯＤＯＧａｒｄ（登録商標）は、素早く長い時間にわたり作用する。これは、素早く臭気原因分子を排除するので、これらの臭いを嗅ぐことはできない。
【表２３】
2018510039.tif 000034
（実施例２４）
【０１９３】
材料および方法
【０１９４】
ＯＤＯＧａｒｄ（登録商標）Ｏｄｏｒ  Ｅｌｉｍｉｎａｔｏｒと、Ｎａｔｕｒｅ’ｓ  Ｍｉｒａｃｌｅ（登録商標）３  ｉｎ  １  Ｏｄｏｒ  Ｄｅｓｔｒｏｙｅｒを比較する実施例２３の実験をより長期間繰り返した。３滴の無希釈のミンク尿を硬表面に注入し、２つの臭気抑制組成物を尿に１回スプレーした。１５分後、２回目のスプレーを尿に塗布した。ＯＤＯＧａｒｄ（登録商標）Ｏｄｏｒ  Ｅｌｉｍｉｎａｔｏｒ（すなわち、ＦＢＴ配合物）の各スプレーは、全部で約１．２５〜１．３５ｍｌの配合物を送達し、塗布した配合物の総量は約２．５〜２．７ｍｌであり、活性スルホンアミド化合物の総量は約０．０２グラムであった。
【０１９５】
結果
【０１９６】
結果を表２４に示す。この場合も同様に、ＯＤＯＧａｒｄ（登録商標）  Ｏｄｏｒ  Ｅｌｉｍｉｎａｔｏｒは臭気を排除し、Ｎａｔｕｒｅ’ｓ  Ｍｉｒａｃｌｅ（登録商標）よりも良い性能をどの時点でも発揮した。ＯＤＯＧａｒｄ（登録商標）Ｏｄｏｒ  Ｅｌｉｍｉｎａｔｏｒはまた、２日間臭気減少をより良く維持した。
【表２３Ａ】
2018510039.tif 000035
考察
【０１９７】
実施例で観察されているように、活性スルホンアミド化合物の使用は、尿悪臭を減少させ、多くの場合排除する。これらの化合物は、コア、表面シートおよびＳＡＰを含めた多種多様な物品に対して、非常に低濃度で有効である。この高い成功率は、活性配合物を、接着剤、裏面シートおよびフラッフを含めた多種多様な他の材料に塗布し得ることを示している。
【０１９８】
尿１ｍＬ当たり約０．１〜１ｍｇの活性化合物という比を使用して、尿悪臭を有意に減少させたが、これは、より低い濃度のこのような組成物が依然として効率的であることを示している。緩衝液の添加は、この作用を達成するために必要ではなかった。しかし、緩衝液は、非常に酸性の尿からの臭気に対処するのに有益である。なぜなら、緩衝液が、酸性のｐＨにより活性化合物が失活するのを防ぐからである。
【０１９９】
加えて、スルホンアミド化合物は、表の多くにおいて観察されるように、長期間、すなわち数日および数週間にわたり臭気を減少させた。このような組成物で物品を処理することにより、永久の廃棄処分を行うことができる時まで、臭気を著しく減少または排除することができる。
【０２００】
表１７〜１９に示されているように、超吸収性ポリマー（ＳＡＰ）は、活性スルホンアミド化合物の水性形態または固体形態で処理することができる。
【０２０１】
本発明の開示は、例示的な実施形態を参照して記載されている。明らかに、先の詳細な説明を読解および理解した者には、修飾および改変が想到することになる。本開示は、すべてのこのような修飾および改変が添付の特許請求の範囲またはその均等物の範囲内に含まれる限り、これらを含むと解釈されることを意図する。
【図１】
2018510039.tif 000042
【図２Ａ】
2018510039.tif 000043
【図２Ｂ】
2018510039.tif 000044
【図２Ｃ】
2018510039.tif 000045
【図３】
2018510039.tif 000046
【図４】
2018510039.tif 000047
【図５】
2018510039.tif 000048
【図６】
2018510039.tif 000049
【図７】
2018510039.tif 000050
【図８】
2018510039.tif 000051
【国際調査報告】
2018510039.tif 000052
2018510039.tif 000053
2018510039.tif 000054